Podtech/llm-jp-corpus-v4-ja_patent huggingface dataset:
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
以下の工程により得ることができる固形のブラックベリー葉抽出物：
a) メタノール、エタノール、n-プロパノール、イソプロパノールからなる群より選ばれるアルコールを含む抽出溶媒のブラックベリー葉への添加、
b) 72時間以内の抽出溶媒でのブラクベリー葉の抽出、
c) (i)粉末マルトデキストリン、ラクトース、シリコンジオキシド、グルコース及び二つ以上のそれら固形物の混合物及び(ii)親水コロイドからなる群から選ばれる医薬及び/又は化粧用に許容され得る固形担体を抽出物に添加する工程、及び
d) 加えた担体で抽出物を乾燥し、工程d)で得られる抽出物の全質量に対して、抽出溶媒の残留含量を5質量％以下にする工程。
【請求項２】
アルコールがエタノールである、請求項１に記載のブラックベリー葉抽出物。
【請求項３】
抽出溶媒が、少なくとも20質量％の比率でアルコールを含む、請求項１又は２に記載のブラックベリー葉抽出物。
【請求項４】
抽出溶媒が、少なくとも15質量％の比率の水を含む、請求項１〜３のいずれか１項に記載のブラックベリー葉抽出物。
【請求項５】
固形担体が粉末マルトデキストリンである請求項１〜４のいずれか１項記載のブラックベリー葉抽出物。
【請求項６】
工程d)の乾燥が、抽出物を固形担体と一緒に噴霧乾燥して粉末を形成するものである請求項１〜５のいずれか１項記載のブラックベリー葉抽出物。
【請求項７】
メタロプロテイナーゼＭＭＰ-１及び/又はＭＭＰ-９の阻害剤として、請求項１〜６のいずれか１項記載の固形のブラックベリー葉抽出物を含有する化粧料調製物。
【請求項８】
スキンケアクリーム、昼用又は夜用クリーム、目元用クリーム、サンスクリーン又はアフターサンローション、スキンフード、コンディショニングマスク、ジェルパッド、顔用ローション、水分調節及び洗顔用クロス、洗顔用ミルク、洗顔石鹸、フォームバス又はシャワージェル、脱臭剤、制汗剤、シャンプー、ヘアケア製品、ヘアコンディショナー、ヘア染料及びヘアスタイリング製品からなる群から選ばれる、請求項７記載の化粧料調製物。
【請求項９】
メタロプロテイナーゼＭＭＰ-１及び/又はＭＭＰ-９の阻害剤するのに十分な濃度で、請求項１〜６のいずれか１項記載の固形のブラックベリー葉抽出物を含有する口腔衛生製品。
【請求項１０】
歯磨き用クリーム、練り歯磨き、歯磨き用ジェル、マウスウォッシュ、マウスリンス、うがい液及び口又は息用スプレー、並びに、トローチ、香錠、甘味料、チューインガム、咀嚼用スウィーツ及びデンタルケアチューインガムからなる群から選ばれる、請求項９記載の口腔衛生製品。
【請求項１１】
メタロプロテイナーゼＭＭＰ-１及び/又はＭＭＰ-９を阻害するために適正な濃度において、請求項１〜６のいずれか１項記載の固形のブラックベリー葉抽出物を含む、メタロプロテイナーゼを阻害するための医薬用調製物。
【請求項１２】
請求項１〜６のいずれか１項記載の固形のブラックベリー葉抽出物を含有する医薬用調製物。
【請求項１３】
メタロプロテイナーゼＭＭＰ-１及び/又はＭＭＰ-９を阻害するための医薬用調製物を製造するための、請求項１〜６のいずれか１項記載の固形のブラックベリー葉抽出物の使用。
【請求項１４】
請求項１〜６のいずれか１項記載の固形のブラックベリー葉抽出物又は請求項７又は８に記載の化粧用調製物又は請求項９又は１０に記載の口腔衛生製品の、メタロプロテイナーゼＭＭＰ-１及び/又はＭＭＰ-９の非医薬的阻害のための使用。
【請求項１５】
請求項１〜６のいずれか１項記載の固形のブラックベリー葉抽出物又は請求項７又は８に記載の化粧用調製物の、スキンエイジングを遅延させるための使用。
【請求項１６】
請求項１〜６のいずれか１項記載の固形のブラックベリー葉抽出物又は請求項９又は１０に記載の口腔衛生製品の、歯周病及び/又はカリエスを予防又は遅延するための使用。
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
式Ｉのピペラジン誘導体、
【化１】
2008502652.tif 000001
任意のその異性体若しくはその異性体の任意の混合物、又は薬剤として許容されるその塩
［式中、
Ｒａは、水素又はアルキルを表し、前記アルキルは、ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニルからなる群から独立に選択される１個又は複数の置換基により任意選択で置換されており、
Ｒｂは、アリール又はヘテロアリール基を表し、前記アリール又はヘテロアリール基は、ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニルからなる群から独立に選択される１個又は複数の置換基により任意選択で置換されており、
Ｒ２、Ｒ２’、Ｒ３、Ｒ３’、Ｒ５、Ｒ５’、Ｒ６及びＲ６’は、それぞれ互いに独立に水素又はアルキルを表し、
但し、Ｒ２、Ｒ２’、Ｒ３、Ｒ３’、Ｒ５、Ｒ５’、Ｒ６及びＲ６’の少なくとも１個は、アルキルを表す。］。
【請求項２】
Ｒａが、水素又はアルキルを表す、請求項１に記載の化合物。
【請求項３】
Ｒｂが、フェニル基を表し、前記フェニル基は、ハロ、トリフルオロメチル、トリフルオロメトキシ、シアノ及びアルコキシからなる群から独立に選択される１個又は複数の置換基により任意選択で置換されている、請求項１又は２に記載の化合物。
【請求項４】
Ｒｂが、フェニル基を表し、前記フェニル基は、ハロにより２回任意選択で置換されている、請求項１又は２に記載の化合物。
【請求項５】
Ｒ２、Ｒ２’、Ｒ３、Ｒ３’、Ｒ５、Ｒ５’、Ｒ６及びＲ６’のうち２個が、アルキルを表し、Ｒ２、Ｒ２’、Ｒ３、Ｒ３’、Ｒ５、Ｒ５’、Ｒ６及びＲ６’のうち残りの６個が、水素を表す、請求項１から４までのいずれか一項に記載の化合物。
【請求項６】
（±）−１−（３，４−ジクロロ−フェニル）−ｔｒａｎｓ−２，５−ジメチル−ピペラジン；
１−（３，４−ジクロロ−フェニル）−ｃｉｓ−３，５−ジメチル−ピペラジン；
（±）−１−（４−クロロ−フェニル）−ｔｒａｎｓ−２，５−ジメチル−ピペラジン；
（±）−１−（４−ヨード−フェニル）−ｔｒａｎｓ−２，５−ジメチル−ピペラジン；
１−（３，４−ジクロロ−フェニル）−ｃｉｓ−２，６−ジメチル−ピペラジン
（±）−１−（４−ブロモ−フェニル）−ｔｒａｎｓ−２，５−ジメチル−ピペラジン；
（±）−１−（４−トリフルオロメチル−フェニル）−ｔｒａｎｓ−２，５−ジメチル−ピペラジン；
（±）−１−（４−トリフルオロメトキシ−フェニル）−ｔｒａｎｓ−２，５−ジメチル−ピペラジン；
（±）−１−（２，４−ジクロロ−フェニル）−ｔｒａｎｓ−２，５−ジメチル−ピペラジン；
（１−（２，４−ジクロロ−フェニル）−ｃｉｓ−３，５−ジメチル−ピペラジン；
（±）−１−（３，４−ジクロロ−フェニル）−３−メチル−ピペラジン；
（±）−１−（２−ナフチル）−ｔｒａｎｓ−２，５−ジメチル−ピペラジン；
（±）−１−（６−メトキシ−ナフト−２−イル）−ｔｒａｎｓ−２，５−ジメチル−ピペラジン；
１−（３，４−ジクロロ−フェニル）−４−メチル−ｔｒａｎｓ−２，５−ジメチル−ピペラジン；
（±）−１−（３，４−ジクロロ−フェニル）−４−メチル−ｃｉｓ−３，５−ジメチル−ピペラジン；
（±）−１−（４−クロロ−フェニル）−４−メチル−ｔｒａｎｓ−２，５−ジメチル−ピペラジン；
１−（３，４−ジクロロ−フェニル）−４−メチル−ｃｉｓ−２，６−ジメチル−ピペラジン；
（±）−１−（４−トリフルオロメトキシ−フェニル）−４−メチル−ｔｒａｎｓ−２，５−ジメチル−ピペラジン；
（±）−１−（２−ナフチル）−４−メチル−ｔｒａｎｓ−２，５−ジメチル−ピペラジン；
又は薬剤として許容されるその塩である、請求項１に記載の化合物。
【請求項７】
少なくとも１種の薬剤として許容される担体、賦形剤又は希釈剤と一緒に、治療上有効な量の請求項１から６までのいずれか一項に記載の化合物、任意のその異性体若しくはその異性体の任意の混合物、又は薬剤として許容されるその塩を含む薬剤組成物。
【請求項８】
請求項１から６までのいずれかに記載の化合物、任意のその異性体若しくはその異性体の任意の混合物、又は薬剤として許容されるその塩を含む薬物。
【請求項９】
ヒトを含む哺乳動物の疾患若しくは障害若しくは状態を治療、予防若しくは軽減するための請求項８に記載の薬物であって、前記疾患若しくは障害若しくは状態が中枢神経系におけるモノアミン神経伝達物質再取込み阻害に応答性である、上記薬物。
【請求項１０】
疾患若しくは障害若しくは状態が、気分障害、うつ病、非定型うつ病、疼痛続発性うつ病、大うつ病性障害、情緒異常障害、双極性障害、双極性１型障害、双極性２型障害、循環病、一般薬物条件による気分障害、物質誘因性気分障害、仮性認知症、ガンサー症候群、強迫性障害、パニック障害、広場恐怖無随伴パニック障害、広場恐怖随伴パニック障害、パニック障害病歴のない広場恐怖、不安発作、記憶欠損、記憶喪失、注意欠陥多動性障害、肥満症、不安、全身性不安障害、摂食障害、パーキンソン病、パーキンソン症、認知症、加齢認知症、老年認知症、アルツハイマー病、複合性エイズ認知症、老人性記憶機能障害、特異的恐怖症、社会的恐怖症、外傷後ストレス障害、急性ストレス障害、薬物嗜癖、薬物乱用、コカイン乱用、ニコチン乱用、タバコ乱用、アルコール中毒、アルコール依存症、疼痛、慢性痛、炎症痛、神経因性痛、片頭痛、緊張型頭痛、慢性緊張型頭痛、疼痛随伴うつ病、線維筋痛症、関節炎、骨関節炎、リューマチ性関節炎、背痛、がん疼痛、過敏性腸痛、過敏性腸症候群、術後痛、乳房切除後疼痛症候群（ＰＭＰＳ）、脳卒中後痛、薬物誘因性神経障害、糖尿病性神経障害、交感神経性維持痛、三叉神経痛、歯痛、顔面筋疼痛、幻肢痛、過食症、月経前緊張症、後期黄体期症候群、外傷後症候群、慢性疲労症候群、尿失禁、ストレス失調症、緊急性失調症、夜間失調症、性機能障害、早発性射精、勃起障害、勃起不全、早発性女性オルガスム、下肢静止不能症候群、摂食障害、神経性摂食障害、睡眠障害、自閉症、無言症、抜毛癖、過眠症、脳卒中後うつ病、脳卒中誘因性脳損傷、脳卒中誘因性神経損傷又はジル−ド−ラ−ツレット病である、請求項９に記載の薬物。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
構造
【化１】
2008502621.tif 000001
のエチプロールと、ネオニコチノイドの系列から得られる少なくとも１つの化合物の相乗的に活性な混合物を含有する薬剤。
【請求項２】
エチプロールとイミダクロプリドの相乗的に活性な混合物を含有する薬剤。
【請求項３】
エチプロールとアセタミプリドの相乗的に活性な混合物を含有する薬剤。
【請求項４】
エチプロールとニテンピラムの相乗的に活性な混合物を含有する薬剤。  
【請求項５】
エチプロールとチアメトキサムの相乗的に活性な混合物を含有する薬剤。
【請求項６】
エチプロールとクロチアニジンの相乗的に活性な混合物を含有する薬剤。
【請求項７】
エチプロールとチアクロプリドの相乗的に活性な混合物を含有する薬剤。
【請求項８】
エチプロールとジノテフランの相乗的に活性な混合物を含有する薬剤。
【請求項９】
動物有害生物の駆除のための、請求項１ないし８の１項に記載されている薬剤の使用。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
化粧品および／または医薬品を製造するための、または化粧期間中に、内因性または外因性皮膚劣化に対して皮膚および人毛を処置するための、または劣化した外観を防止するための、構造式：
Ｒ１-ＮＨ-ＡＡ-Ｒ２
〔式中、Ｒ１は、-Ｈ、または-ＯＨ、-ＳＨ、-ＣＯＯＨまたは-ＣＯＮＨ２基によって官能化されていてもよい１〜２４個の炭素原子を有する直鎖状飽和もしくは不飽和アシル基または分枝状飽和もしくは不飽和アシル基、または官能基によって該ペプチドと結合したステロール基によって形成される群から選択され、
Ｒ２は、-ＯＨであるか、または該ＯＨ基は、１〜２４個の炭素原子を有する直鎖状飽和もしくは不飽和アルキル基または分枝状飽和もしくは不飽和アルキル基、またはステロール基によって官能化されており、および
ＡＡは、ＰＴＨ領域(２８〜３４)に対応する配列表の配列番号１のアミノ酸配列に完全にまたは部分的に対応する〕
で示される副甲状腺ホルモンのペプチド断片および／またはペプチド断片の誘導体および／またはペプチド断片の塩の使用。
【請求項２】
ＡＡは、配列表の配列番号１の２〜５位に対応するＰＴＨ領域(２９〜３２)Ｇｌｎ-Ａｓｐ-Ｖａｌ-Ｈｉｓ、またはｐＧｌｕ-Ａｓｐ-Ｖａｌ-Ｈｉｓを含んでなる、請求項１に記載の使用。
【請求項３】
Ｈｉｓは、Ｌｅｕ、Ｉｌｅ、Ｎｌｅ(ノルロイシン)、Ｍｅｔ、Ｖａｌ、Ａｌａ、ＴｒｐまたはＰｈｅを含んでなる群から選択されるアミノ酸で置換することができる、請求項１または２に記載の使用。
【請求項４】
式中、Ｒ１は、Ｈまたはアセチル基を示し、Ｒ２はＯＨであることを特徴とする、請求項１〜３のいずれかに記載の使用。
【請求項５】
ペプチド断片は、化学的または酵素的合成によって、または微生物、植物または動物の上記配列を含有する天然タンパク質の制御加水分解によって得られることを特徴とする、請求項１〜４のいずれかに記載の使用。
【請求項６】
しわの形成と闘うのに、またはしわの後に残される痕跡を低減するのに、または真皮および／または真皮／表皮接合(ＤＥＪ)を強化するのに、または皮下組織のセルライトの現象を低減するのに、または癒しを促進するのに、またはヒト皮膚の(老化または外性因子による)劣化によりもたらされる細胞数の低減と闘うのに、または毛細血管の再生を刺激および／または再生して毛髪の脱落と闘うのに有効な調製物を製造するための、請求項１〜５のいずれかに記載の使用。
【請求項７】
ＴＧＦβ１タンパク質(形質転換増殖因子)および／またはＴＧＦβ１に対して生物学的応答を引き起こす細胞表面に存在する受容体の製造を刺激するのに、またはｍＲＮＡおよび母体タンパク質の製造を刺激するのに、または炎症と闘うのに有効な調製物を製造するための、請求項１〜５のいずれかに記載の使用。
【請求項８】
ｍＲＮＡおよび／またはタンパク質の製造を調節するのに、またはマトリックスを分解するタンパク質を制御するのに、および／またはＴＩＭＰを制御するのに有効な調製物を製造するための、請求項１〜５のいずれかに記載の使用。
【請求項９】
ペプチド断片またはペプチド断片の誘導体またはペプチド断片の塩を、０.０１〜１０００ｐｐｍの濃度で使用することを特徴とする、請求項１〜８のいずれかに記載の使用。
【請求項１０】
構造式：
Ｒ１-ＮＨ-ＡＡ-Ｒ２
〔式中、Ｒ１は、-Ｈ、または-ＯＨ、-ＳＨ、-ＣＯＯＨまたは-ＣＯＮＨ２基によって官能化されていてもよい１〜２４個の炭素原子を有する直鎖状飽和もしくは不飽和アシル基または分枝状飽和もしくは不飽和アシル基、または官能基によって該ペプチドと結合したステロール基によって形成される群から選択され、
Ｒ２は、-ＯＨであるか、または該ＯＨ基は、１〜２４個の炭素原子を有する直鎖状飽和もしくは不飽和アルキル基または分枝状飽和もしくは不飽和アルキル基、またはステロール基によって官能化されており、および
ＡＡは、ＰＴＨ領域(２８〜３４)の配列表の配列番号１のアミノ酸配列に完全にまたは部分的に対応し、
ただし、Ｒ２が-ＯＨとは異なる場合のみ、Ｒ１はＨであり、またはＲ２がＯＨである場合、Ｒ１はＨとは異なる〕
で示される副甲状腺ホルモンのペプチド断片の誘導体を含有する化粧品。
【請求項１１】
ＡＡは、配列表の配列番号１の２〜５位に対応するＰＴＨ領域(２９〜３２)Ｇｌｎ-Ａｓｐ-Ｖａｌ-Ｈｉｓ、またはｐＧｌｕ-Ａｓｐ-Ｖａｌ-Ｈｉｓを含んでなる、請求項１０に記載の化粧品。
【請求項１２】
Ｈｉｓは、Ｌｅｕ、Ｉｌｅ、Ｎｌｅ(ノルロイシン)、Ｍｅｔ、Ｖａｌ、Ａｌａ、ＴｒｐまたはＰｈｅを含んでなる群から選択されるアミノ酸で置換することができる、請求項１０または１１に記載の化粧品。
【請求項１３】
ペプチド断片は、化学的または酵素的合成によって、または微生物、植物または動物の上記配列を含有する天然タンパク質の制御加水分解によって得られることを特徴とする、請求項１０〜１２のいずれかに記載の化粧品。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
リン脂質成分および薬学的に受容可能な流体キャリアを含み、
該リン脂質成分が組成物の全重量の約１０％〜約９０％の範囲内にある、
組織フィラーとしての使用に適合するゲル状またはペースト状の注射可能な非リポソーム組成物。
【請求項２】
前記薬学的に受容可能な流体キャリアが、水、水性緩衝液、エタノール、グリセロール、プロピレングリコール、ポリエチレングリコール、植物油、長鎖脂肪酸（Ｃ１２〜Ｃ２２）のモノグリセリド、ジグリセリドおよびトリグリセリドならびにそれらの混合物、中鎖脂肪酸（Ｃ６〜Ｃ１２）のモノグリセリド、ジグリセリドおよびトリグリセリドならびにそれらの混合物、短鎖脂肪酸（Ｃ２〜Ｃ６）のモノグリセリド、ジグリセリドおよびトリグリセリドならびにそれらの混合物、ビタミンＥおよびそのエステル、脂肪酸のエステル、オレイン酸エチル、ｎ−メチルピロリドン、グリコフロール、２−ピロリドン、ポリエチレングリコール−１５−ヒドロキシステアレート、ポリソルベート、ポリオキシルヒマシ油、ならびにそれらの組み合わせからなる群より選択される、請求項１に記載の組成物。
【請求項３】
前記リン脂質成分が、天然に存在するリン脂質および合成リン脂質からなる群より選択される、請求項１に記載の組成物。
【請求項４】
前記天然に存在するリン脂質が、大豆レシチン、卵レシチン、水添大豆レシチン、水添卵レシチン、スフィンゴシン、ガングリオシド、およびフィトスフィンゴシンならびにそれらの組み合わせからなる群より選択される、請求項３に記載の組成物。
【請求項５】
前記合成リン脂質が、ジアシルグリセロール、ホスファチジン酸、ホスホコリン、ホスホエタノールアミン、ホスホグリセロール、ホスホセリン、混合鎖リン脂質、リゾリン脂質、ペグ化リン脂質およびそれらの組み合わせからなる群より選択される、請求項３に記載の組成物。
【請求項６】
非リン脂質フィラー成分をさらに含む、請求項１に記載の組成物。
【請求項７】
前記非リン脂質フィラー成分が、以下：
ポリ（ラクチド−コ−グリコリド）、ポリ（ラクチド−コ−グリコリド）−ＣＯＯＨ、ポリ（ラクチド）、ポリ（ラクチド−ＣＯＯＨ）、ポリ（ラクチド）、ポリ（グリコリド）、ポリ（ｅ−カプロラクトン）、ポリ（ラクチド−コ−カプロラクトン）、ポリ（ラクチド−コ−カプロラクトン）、ポリメチルメタクリレート、ポリ（ビニルアルコール）およびそれらのコポリマー、アクリル酸ナトリウムポリマー、アクリルアミドポリマー、アクリルアミド誘導体ポリマーもしくはコポリマー、アクリル酸ナトリウムとビニルアルコールとのコポリマー、酢酸ビニルとアクリル酸エステルとのコポリマー、酢酸ビニルとマレイン酸メチルとのコポリマー、イソブチレン−無水マレイン酸の架橋コポリマー、デンプン−アクリロニトリルのグラフトコポリマー、架橋ポリアクリル酸ナトリウムポリマー、架橋ポリエチレンオキシド、リン酸カルシウム鉱物、ヒドロキシアパタイト、セラミックス、チタン、硬化植物油、脂肪酸のグリセロールエステル、コレステロール、コレステリル硫酸ナトリウム、コレステロール誘導体、デキストラン、シクロデキストリン、セルロース、カルボキシメチルセルロースナトリウム、寒天メチルセルロース、ヒドロキシプロピルセルロース、ヒドロキシプロピルメチルセルロース、エチルセルロース、微結晶性セルロース、デンプン、アミロース、アミロペクチン、ペクチン、アルギン酸塩、キチン、キトサン、グリコーゲン、ヒアルロン酸塩、グリコサミノグリカン、コンドロイチン、ヘパリン、ならびにコラーゲン、ゼラチン、カゼイン、アルブミンおよびそれらの組み合わせからなる群より選択されるタンパク質またはアミノ酸のポリマーからなる群より選択される、請求項６に記載の組成物。
【請求項８】
少なくとも１つの生物活性物質をさらに含む、請求項１に記載の組成物。
【請求項９】
前記生物活性物質が、組織成長因子、骨形成因子、ホルモン、および骨髄からなる群より選択される、請求項８に記載の組成物。
【請求項１０】
前記生物活性物質が、遺伝子導入ベクター、局所麻酔薬、抗炎症剤、抗癌剤、抗感染症薬、ホルモン、骨代謝調節因子、抗痙攣薬、抗鬱薬、鎮痛薬、抗精神病薬、抗糖尿病薬、抗パーキンソン薬、禁煙補助剤、尿路薬、抗骨粗しょう症薬、抗肥満薬、強心剤、排卵促進剤、避妊薬、防腐剤、および細胞接着促進剤からなる群より選択される、請求項８に記載の組成物。
【請求項１１】
生体適合性の流体潤滑剤をさらに含む、請求項１に記載の組成物。
【請求項１２】
組織を修復または増強するための、請求項１〜９のいずれか１項に記載の組成物。
【請求項１３】
前記組織が、硬組織または軟組織である、請求項１２に記載の組成物。
【請求項１４】
前記組織が、皮膚組織である、請求項１２に記載の組成物。
【請求項１５】
前記増強が、眉間皺、悩み皺、皺、目尻の皺、マリオネットライン、皮膚線条、および傷害、創傷、手術、咬傷、切り傷、または事故によって生じる内部瘢痕もしくは外部瘢痕、ざ瘡、皮膚癌、声帯障害、胃食道逆流疾患、尿失禁、あるいは尿の逆流疾患を処置するものである、請求項１３に記載の組成物。
【請求項１６】
生物活性物質の局所送達のための、請求項９または請求項１０に記載の組成物。
【請求項１７】
前記生物活性物質の局所送達が、癌、慢性疼痛、または慢性歯周病を処置するものである、請求項１６に記載の組成物。
【請求項１８】
１種以上のリン脂質と薬学的に受容可能な流体キャリアとを含む混合物を提供する工程であって、該リン脂質（１種または複数種）が、該混合物の全重量の約１０％〜約９０％の範囲内にある工程、および
該混合物をホモジナイズして、組織フィラーとしての使用に適合するゲル状またはペースト状の注射可能な非リポソーム組成物を生成する工程
を包含する、組織フィラーとしての使用に適合するゲル状またはペースト状の注射可能な非リポソーム組成物を調製する方法。
【請求項１９】
濾過、加熱、放射線、電子ビーム、またはそれらの組み合わせによって組成物を滅菌する工程をさらに包含する、請求項１８に記載の方法。
【請求項２０】
請求項１〜１１のいずれか１項に記載の組成物および
該組成物を使用するための説明書
を含むキット。
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
α−ケトグルタル酸及び医薬的に許容され得るその塩、並びに、α−ケトグルタル酸または医薬的に許容され得るその塩と少なくとも１種のアミノ酸との医薬的に許容され得る物理的混合物から成る群から選定される少なくとも１種の使用であって、低密度脂質（ＬＤＬ）及びトリグリセリドから成る群から選定される少なくとも１つの上昇した血漿レベルの症状を治療または予防するための、或いは、鳥類及び人を含む哺乳動物等の脊椎動物における高密度脂質（ＨＤＬ）産生促進のための、医薬品または食品もしくは補助食品の製造における使用。
【請求項２】
α−ケトグルタル酸または医薬的に許容され得るその塩の使用であって、鳥類及び人を含む哺乳動物等の脊椎動物における上昇した血漿中低密度脂質（ＬＤＬ）レベルの症状を治療または予防するための医薬品または食品もしくは補助食品の製造における使用。
【請求項３】
α−ケトグルタル酸または医薬的に許容され得るその塩の使用であって、鳥類及び人を含む哺乳動物等の脊椎動物における上昇したトリグリセリドレベルの症状を治療または予防するための医薬品または食品もしくは補助食品の製造における使用。
【請求項４】
α−ケトグルタル酸または医薬的に許容され得るその塩の使用であって、鳥類及び人を含む哺乳動物等の脊椎動物における高密度脂質（ＨＤＬ）産生促進のための医薬品または食品もしくは補助食品の製造における使用。
【請求項５】
α−ケトグルタル酸またはそのアルカリもしくはアルカリ土類金属塩、或いはそれらの組み合わせを使用する、請求項１〜４のいずれか１項に記載の使用。
【請求項６】
α−ケトグルタル酸ナトリウムを使用する、請求項５に記載の使用。
【請求項７】
鳥類及び人を含む哺乳動物における低密度脂質（ＬＤＬ）及びトリグリセリドから成る群から選定される少なくとも１種の上昇した血漿レベルの症状を治療または予防するための方法であって、かかる治療または予防を必要とする対象へ、上記血漿レベルを低下させるに有効量の、α−ケトグルタル酸及び医薬的に許容され得るその塩、並びに、α−ケトグルタル酸または医薬的に許容され得るその塩と少なくとも１種のアミノ酸との医薬的に許容され得る物理的混合物から成る群から選定される少なくとも１種を投与することを含んで成る方法。
【請求項８】
鳥または人を含む哺乳動物における高密度脂質（ＨＤＬ）産生を促進するための方法であって、前記鳥または哺乳動物へ、血漿中のＨＤＬレベルが上昇するに有効量の、α−ケトグルタル酸、及び医薬的に許容され得るその塩、並びに、α−ケトグルタル酸、他のアミノ酸または医薬的に許容され得るその塩と少なくとも１種のアミノ酸との医薬的に許容され得る物理的混合物から成る群から選定される少なくとも１種を投与することを含んで成る方法。
【請求項９】
α−ケトグルタル酸、またはそのアルカリもしくはアルカリ土類金属塩、或いはそれらの組合せを投与する、請求項７または８に記載の方法。
【請求項１０】
α−ケトグルタル酸ナトリウムを投与する、請求項９に記載の方法。
【請求項１１】
活性成分または成分を含んで成る医薬品または食品もしくは補助食品を投与する、請求項７〜１０のいずれか１項に記載の方法。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
少なくとも１種の着色剤の有効着色量を含む微粒子であって、前記着色剤は、エチレン性不飽和イオン性モノマーである第一モノマーと、５０℃を越えるガラス転移温度のホモポリマーを形成することが可能なエチレン性不飽和疎水性モノマーである第二モノマーとからなるモノマーブレンドから形成されているマトリックスポリマー中に封入されており、二次粒子が前記マトリックス全体に分散されており、前記二次粒子は、５０℃を越えるガラス転移温度を有するホモポリマーを形成することが可能なエチレン性不飽和疎水性モノマー及び所望により他のモノマーから形成されている疎水性ポリマーからなり、前記疎水性ポリマーは、前記マトリックスポリマーである疎水性ポリマーとは別のものであるところの、微粒子。
【請求項２】
少なくとも２種の着色剤のブレンドの有効着色量並びに、化粧品に許容されるキャリヤ又は助剤を含む固体又は液体のパーソナルケア又は化粧品組成物であって、
前記着色剤は、エチレン性不飽和イオン性モノマーである第一モノマーと、５０℃を越えるガラス転移温度のホモポリマーを形成することが可能なエチレン性不飽和疎水性モノマーである第二モノマーとからなるモノマーブレンドから形成されている１種又はそれより多くの微粒状マトリックスポリマー中に封入されており、二次粒子が前記マトリックス全体に分散されており、前記二次粒子は、５０℃を越えるガラス転移温度を有するホモポリマーを形成することが可能なエチレン性不飽和疎水性モノマー及び所望により他のモノマーから形成されている疎水性ポリマーからなり、前記疎水性ポリマーは、前記マトリックスポリマーである疎水性ポリマーとは別のものであるところの、組成物。
【請求項３】
前記組成物中の封入された着色剤が、少なくとも２種の別々のマトリックスポリマー材料中に設けられている、請求項２記載の組成物。
【請求項４】
少なくとも２種の封入された着色剤が、単一のマトリックスポリマー材料中に存在する、請求項２記載の組成物。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
式Ｉの９−アザ−ビシクロ［３．３．１］ノナン誘導体
【化１】
2008502650.tif 000001
又はその医薬として許容できる塩：その任意の異性体若しくはその異性体の任意の混合物
［式中、
Ｒａは、水素又はアルキルを表し；
ここで、アルキルは、
ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニル
からなる群から独立に選択される１個又は複数の置換基で場合によって置換されており；
Ｘは、−Ｏ−、−Ｓ−又は−ＮＲｃ−を表し；
ここで、Ｒｃは、水素、アルキル、−Ｃ（＝Ｏ）Ｒｄ又は−ＳＯ２Ｒｄを表し；
ここで、Ｒｄは、水素又はアルキルを表し；
Ｒｂは、アリール基又はヘテロアリール基を表し；
ここで、アリール基又はヘテロアリール基は、
ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニル
からなる群から独立に選択される１個又は複数の置換基で場合によって置換されている］。
【請求項２】
Ｒａが、水素又はアルキルを表す、請求項１に記載の化合物。
【請求項３】
Ｒｂが、フェニル基を表し、
ここで、フェニル基が、
ハロ、トリフルオロメチル、トリフルオロメトキシ、シアノ及びアルコキシ
からなる群から独立に選択される１個又は複数の置換基で場合によって置換されている、請求項１又は２に記載の化合物。
【請求項４】
Ｒｂが、フェニル基を表し、
ここで、フェニル基が、ハロで２回場合によって置換されている、請求項１又は２に記載の化合物。
【請求項５】
Ｒｂが、ピリジル基を表し、
ここで、ピリジル基が、
ハロ、トリフルオロメチル、トリフルオロメトキシ、シアノ及びアルコキシ
からなる群から独立に選択される１個又は複数の置換基で場合によって置換されている、請求項１又は２に記載の化合物。
【請求項６】
Ｒｂが、ピリジル基を表し、
ここで、ピリジル基が、ハロ又はアルコキシで１回場合によって置換されている、請求項１又は２に記載の化合物。
【請求項７】
Ｘが、−Ｏ−を表す、請求項１から６までのいずれか一項に記載の化合物。
【請求項８】
ｅｘｏ−３−（３，４−ジクロロ−フェノキシ）−９−メチル−９−アザ−ビシクロ［３．３．１］ノナン；
ｅｘｏ−３−（４−クロロ−３−フルオロフェノキシ）−９−メチル−９−アザ−ビシクロ［３．３．１］ノナン；
ｅｘｏ−３−（３，４−ジクロロ−フェノキシ）−９−Ｈ−９−アザ−ビシクロ［３．３．１］ノナン；
ｅｘｏ−３−（６−ブロモピリジン−２−イルオキシ）−９−メチル−９−アザ−ビシクロ［３．３．１］ノナン；
ｅｘｏ−３−（６−ブロモピリジン−２−イルオキシ）−９−Ｈ−９−アザ−ビシクロ［３．３．１］ノナン；
ｅｘｏ−３−（６−メトキシピリジン−２−イルオキシ）−９−メチル−９−アザ−ビシクロ［３．３．１］ノナン；
又はこれらの医薬として許容できる塩である、請求項１に記載の化合物。
【請求項９】
医薬として許容できる少なくとも１種の担体、賦形剤又は希釈剤と共に、請求項１から８までのいずれか一項に記載の化合物、その任意の異性体若しくはその異性体の任意の混合物、又はその医薬として許容できる塩の治療有効量を含む医薬組成物。
【請求項１０】
薬物を製造するための、請求項１から８までのいずれかに記載の化合物、その任意の異性体若しくはその異性体の任意の混合物、又はその医薬として許容できる塩の使用。
【請求項１１】
ヒトを含む哺乳類の疾患又は障害又は状態であり、中枢神経系におけるモノアミン神経伝達物質再取り込み阻害に反応する疾患、障害又は状態の、治療、予防又は緩和用の、請求項９に記載の医薬組成物。
【請求項１２】
前記疾患、障害又は状態が、気分障害、うつ病、非定型うつ病、痛みに続発するうつ病、大うつ病性障害、気分変調性障害、双極性障害、双極性Ｉ型障害、双極性ＩＩ型障害、気分循環性障害、全身性病状による気分障害、物質誘発性気分障害、仮性痴呆、ガンザー症候群、強迫性障害、パニック障害、広場恐怖を伴わないパニック障害、広場恐怖を伴うパニック障害、パニック障害歴のない広場恐怖、パニック発作、記憶障害、記憶喪失、注意欠陥多動障害、肥満症、不安、全般性不安障害、摂食障害、パーキンソン病、パーキンソニズム、痴呆、加齢による痴呆、老年痴呆、アルツハイマー病、後天性免疫不全症候群痴呆症、加齢による記憶機能障害、特定の恐怖症、対人恐怖、心的外傷後ストレス障害、急性ストレス障害、薬物嗜癖、薬物乱用、コカイン乱用、ニコチン乱用、タバコ乱用、飲酒癖、アルコール依存症、痛み、慢性の痛み、炎症性疼痛、神経因性疼痛、片頭痛の痛み、緊張型頭痛、慢性緊張型頭痛、うつ病を伴う痛み、線維筋痛、関節炎、変形性関節症、関節リウマチ、背痛、癌性疼痛、過敏性腸痛、過敏性腸症候群、術後疼痛、乳腺切除術後疼痛症候群（ＰＭＰＳ）、脳卒中後の痛み、薬物誘発性神経障害、糖尿病性神経障害、交感神経性の持続痛、三叉神経痛、歯痛、顔面筋疼痛、幻肢痛、過食症、月経前症候群、黄体期後期症候群、外傷後症候群、慢性疲労症候群、尿失禁、緊張性尿失禁、切迫性尿失禁、夜尿、性的機能不全、精液早漏、勃起困難、勃起不全、女性早期オルガスム、不穏下肢症候群、摂食障害、神経性食欲不振、睡眠障害、自閉症、無言症、抜毛癖、ナルコレプシー、脳卒中後のうつ病、脳卒中誘発性脳損傷、脳卒中誘発性神経損傷又はジルドラトゥーレット病である、請求項１１に記載の医薬組成物。
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
長手方向に延在する第１の表面および第２の表面と、
複数の押出特徴であって、前記押出特徴の各々が、
前記第１の表面から断面平面内に延在するベース部分であって、前記断面平面が前記長手方向に実質的に垂直である、ベース部分と、
前記ベース部分から前記断面平面内にある角度で延在するアーム部分とを含む、複数の押出特徴と、
複数のチャネルであって、各チャネルが、前記第２の表面から前記長手方向に対してある角度で延在し、各チャネルが、１対の押出特徴の間に配置される、複数のチャネルとを含む機械的噛合いダイ。
【請求項２】
第１のポリマー層を押出すための、長手方向に延在する第１の表面と、
第２のポリマー層を押出すための、前記長手方向に延在する第２の表面と、
前記第１のポリマー層に沿って前記長手方向に複数のリブを製造するための複数の押出特徴であって、各押出特徴が、前記第１の表面から延在するベース部分と、前記ベース部分からある角度で延在するアーム部分とを含む、複数の押出特徴と、
前記第２のポリマー層の一部を前記リブに実質的に適合させるための複数のチャネルであって、各チャネルが、前記第２の表面から前記長手方向に対してある角度で延在し、各チャネルが、１対の押出特徴の間に配置される、複数のチャネルとを含む機械的噛合いダイ。
【請求項３】
材料を押出す方法であって、
長手方向に延在する第１の表面および第２の表面と、
複数の押出特徴であって、各押出特徴が、前記第１の表面から延在するベース部分と、前記ベース部分からある角度で延在するアーム部分とを含む、複数の押出特徴と、
複数のチャネルであって、各チャネルが、前記第２の表面から前記長手方向に対してある角度で延在し、各チャネルが、１対の押出特徴の間に配置される、複数のチャネルとを含む機械的噛合いダイを提供する工程と、
第１のポリマー層の一部を、前記押出特徴を通して押出して、複数のリブを形成する工程と、
第２のポリマー層の一部を、前記チャネルを通して押出し、それにより、第２の材料を前記リブに実質的に適合させ、前記第２の材料を前記リブに実質的に適合させることが、前記第１のポリマー層を前記第２のポリマー層に機械的に噛合せる工程とを含む方法。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
血栓症のリスクがある被験者を治療するための医薬組成物であって、アネキシン二量体を含む単離修飾アネキシンタンパク質を含む、前記医薬組成物。
【請求項２】
前記単離修飾アネキシンタンパク質を冠動脈血栓症の後に投与する、請求項１の医薬組成物。
【請求項３】
前記単離修飾アネキシンタンパク質を、顕性脳血栓症および一過性脳虚血発作からなる群より選択される状態の後に投与する、請求項１の医薬組成物。
【請求項４】
前記単離修飾アネキシンタンパク質を、静脈血栓症に関連する外科手術後に投与する、請求項１の医薬組成物。
【請求項５】
前記被験者が糖尿病であり、そして前記血栓症が動脈血栓症である、請求項１の医薬組成物。
【請求項６】
前記単離修飾アネキシンタンパク質を、妊娠および分娩からなる群より選択される状態の期間中に投与する、請求項１の医薬組成物。
【請求項７】
単離修飾アネキシンタンパク質を、０．２ｍｇ／ｋｇ〜１．０ｍｇ／ｋｇの範囲で投与する、請求項１の医薬組成物。
【請求項８】
アネキシン活性に関して、修飾アネキシンタンパク質を同定する方法であって：
ａ）活性化された血小板を、少なくとも１つの試験修飾アネキシンタンパク質と、結合を許容する条件下で接触させ；
ｂ）前記血小板の試験修飾アネキシン結合活性を評価し；
ｃ）前記試験修飾アネキシンタンパク質の存在下で、プロテインＳ結合活性を評価し；そして
ｄ）前記試験修飾アネキシンタンパク質の存在下での試験修飾アネキシン結合活性およびプロテインＳ結合活性と、非修飾アネキシンタンパク質の存在下での非修飾アネキシン結合活性およびプロテインＳ結合活性を比較し、それによって、アネキシン活性を持つ修飾アネキシンタンパク質を同定可能である
ことを含む、前記方法。
【請求項９】
請求項８の方法によって同定される、修飾アネキシンタンパク質。
【請求項１０】
内皮細胞への白血球の付着を阻害するための医薬組成物であって、アネキシン二量体を含む単離修飾アネキシンタンパク質を含む、前記医薬組成物。
【請求項１１】
さらに、内皮細胞損傷を減少させるために使用することを特徴とする、請求項１０の医薬組成物。
【請求項１２】
血栓症のリスクがある被験者を治療するための医薬組成物であって、ホスファチジルセリンに対するアネキシンＶの親和性の少なくとも９０％の、ホスファチジルセリンに対する親和性を有するタンパク質を含む、前記医薬組成物。
【請求項１３】
前記タンパク質がモノクローナル抗体またはポリクローナル抗体である、請求項１２の医薬組成物。
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
α−ヒドロキシ酸および１種または複数種の金属を含む組成物であって、全金属濃度が、１０００μｇ／ｋｇ未満であり、組成物の個別の金属の濃度が２５０μｇ／ｋｇ未満であることを特徴とする組成物。
【請求項２】
超低濃度金属を有するα−ヒドロキシ酸の生成方法であって、
（ａ）少なくとも１種の強酸性カチオン樹脂をその中に含む１つまたは複数の容器を提供する工程と、
（ｂ）前記樹脂を脱イオン水の流れと接触させて、洗浄された樹脂を生成する工程と、
（ｃ）前記樹脂を強酸の流れと接触させて、酸処理した樹脂を生成する工程と、
（ｄ）前記樹脂を、強酸流れに対して並流方向の流れの脱イオン水で洗浄して、可溶性酸を実質的に含まない樹脂を生成する工程と、
（ｅ）酸処理し洗浄した前記樹脂を、強酸の流れに対して向流方向にある供給組成物（ｆｅｅｄ  ｃｏｍｐｏｓｉｔｉｏｎ）の流れと接触させて、樹脂で処理したα−ヒドロキシ酸組成物および使用済み樹脂を生成する工程であって、該供給組成物がα−ヒドロキシ酸と１種または複数種の金属とを含み、全金属濃度が約１０００μｇ／ｋｇ超であり、かつ個別の各金属濃度が約２５０μｇ／ｋｇ超である工程と、
（ｆ）前記樹脂で処理したα−ヒドロキシ酸組成物を分別し回収する工程とを含み、
強酸の流れ方向が上流方向であり、かつα−ヒドロキシ酸供給組成物の流れ方向が下流方向であることを特徴とする方法。
【請求項３】
α−ヒドロキシ酸および１種または複数種の金属を含み、全金属濃度が１０００μｇ／ｋｇ未満であり、かつ組成物の個別の各金属の濃度が２５０μｇ／ｋｇ未満である組成物を含む溶液と、基板とを接触させる工程を含むことを特徴とする洗浄方法。
【手続補正２】
【補正対象書類名】明細書
【補正対象項目名】０１２２
【補正方法】変更
【補正の内容】
【０１２２】
表７、８、および９から、実施例３および４では、グリコール酸について、ダウエックスモノスフィアー（ＤＯＷＥＸ  ＭＯＮＯＳＰＨＥＲＥ）Ｍ−３１樹脂がカリウムを（２０μｇ／ｋｇ未満に）還元する上で有効であるが、ナトリウムでは有効でないことが明らかである。反対に、ダウエックスモノスフィアー（ＤＯＷＥＸ  ＭＯＮＯＳＰＨＥＲＥ）６５０Ｃは、カリウムを還元する上で有効でないが、ナトリウムを還元する上で有効であった。実施例５では、両方の樹脂が存在した。組み合わせれば、実施例３で比べてナトリウム除去が改善され、実施例４で比べてカリウムが改善されることが明らかである。
以下、本明細書に記載の発明につき列記する。
１．  α−ヒドロキシ酸および１種または複数種の金属を含む組成物であって、全金属濃度が、１０００μｇ／ｋｇ未満であり、組成物の個別の金属の濃度が２５０μｇ／ｋｇ未満であることを特徴とする組成物。
２．  金属が、アルミニウム、カルシウム、クロム、銅、鉄、鉛、マグネシウム、マンガン、ニッケル、カリウム、ナトリウム、および亜鉛、ならびにそれらの２種以上の組合せからなる群から選択されることを特徴とする前記１．に記載の組成物。
３．  組成物が水溶液の形態であることを特徴とする前記２．に記載の組成物。
４．  全金属濃度が５００μｇ／ｋｇ未満であり、組成物の個々の各金属の濃度が１５０μｇ／ｋｇ未満であり、酸がグリコール酸または酒石酸であり、α−ヒドロキシ酸の濃度が組成物中の酸の溶解限度の７５％〜９８％であることを特徴とする前記３．に記載の組成物。
５．  超低濃度金属を有するα−ヒドロキシ酸の生成方法であって、
（ａ）少なくとも１種の強酸性カチオン樹脂をその中に含む１つまたは複数の容器を提供する工程と、
（ｂ）前記樹脂を脱イオン水の流れと接触させて、洗浄された樹脂を生成する工程と、
（ｃ）前記樹脂を強酸の流れと接触させて、酸処理した樹脂を生成する工程と、
（ｄ）前記樹脂を、強酸流れに対して並流方向の流れの脱イオン水で洗浄して、可溶性酸を実質的に含まない樹脂を生成する工程と、
（ｅ）酸処理し洗浄した前記樹脂を、強酸の流れに対して向流方向にある供給組成物（ｆｅｅｄ  ｃｏｍｐｏｓｉｔｉｏｎ）の流れと接触させて、樹脂で処理したα−ヒドロキシ酸組成物および使用済み樹脂を生成する工程であって、該供給組成物がα−ヒドロキシ酸と１種または複数種の金属とを含み、全金属濃度が約１０００μｇ／ｋｇ超であり、かつ個別の各金属濃度が約２５０μｇ／ｋｇ超である工程と、
（ｆ）前記樹脂で処理したα−ヒドロキシ酸組成物を分別し回収する工程とを含み、
強酸の流れ方向が上流方向であり、かつα−ヒドロキシ酸供給組成物の流れ方向が下流方向であることを特徴とする方法。
６．  カチオン樹脂をその中に含む１つまたは複数の容器を提供する前の工程において、前記供給組成物を処理して、Ｃｒ（ＶＩ）化合物をＣｒ（ＩＩＩ）化合物に還元する工程をさらに含み、
該還元工程が、前記供給組成物を還元剤と接触させる工程を含み、該還元剤が、可溶性還元剤を含む溶液、または二酸化硫黄（溶液中で亜硫酸を形成する）などのガス状還元剤からなる群から選択され、該可溶性還元剤が、第一鉄塩、過酸化水素、ヨウ化カリウム、および亜硫酸ナトリウムからなる群から選択されることを特徴とする前記５．に記載の方法。
７．  工程（ｅ）の後に、再使用するために前記使用済み樹脂を再生する工程をさらに含み、
該工程が、（ａ’）前記樹脂を脱イオン水の流れと接触させて、洗浄された樹脂を生成する工程と、（ｂ’）前記洗浄された樹脂を、強酸の流れと接触させて、酸処理した樹脂を生成する工程と、（ｃ’）前記酸処理した樹脂を、強酸の流れに対して並流方向の流れの脱イオン水で洗浄して、可溶性酸を実質的に含まない樹脂を生成する工程とを含むことを特徴とする前記６．に記載の方法。
８．  α−ヒドロキシ酸および１種または複数種の金属を含み、全金属濃度が１０００μｇ／ｋｇ未満であり、かつ組成物の個別の各金属の濃度が２５０μｇ／ｋｇ未満である組成物を含む溶液と、基板とを接触させる工程を含むことを特徴とする洗浄方法。
９．  前記基板が、完全にもしくは部分的に作製された電子デバイスまたは処理装置の表面または構造；あるいは金属またはケイ素をベースとする材料の表面または構造であることを特徴とする前記８．に記載の方法。
１０．前記溶液が、約１〜約１５重量％の有機溶媒、酸、塩基、フッ素含有化合物、他のキレート化剤、またはそれらの２つ以上の組合せを含むことを特徴とする前記９．に記載の方法。
【手続補正書】
【提出日】平成20年6月12日(2008.6.12)
【手続補正１】
【補正対象書類名】明細書
【補正対象項目名】００３９
【補正方法】変更
【補正の内容】
【００３９】
最後に、物質内で反応が生じるのを避けるために、カソード板は、水素含有化合物と多少なりとも接触する領域があってはならない。したがって、たとえば、装置は図４に示すように穴を含んでいて、Ｈ＋イオンを通過させることができるが、それらとカソード間のいかなる接触も妨げている。
【手続補正２】
【補正対象書類名】明細書
【補正対象項目名】００４５
【補正方法】変更
【補正の内容】
【００４５】
２個の板間の、３ｍｍ（ミリメートル）の距離“Ｄ”及び１０００ボルトと３００００ボルトの間で変えることができる高電圧に対して、得られる最大電界は、
Ｅ＝ΔＶ／Ｄ＝１０７Ｖ／ｍ
である。
【手続補正３】
【補正対象書類名】明細書
【補正対象項目名】００５４
【補正方法】変更
【補正の内容】
【００５４】
セラミックスＨＢＮは電気絶縁物であるから、Ｈ＋イオンはセラミックスを通ってカソード板に近づく。それがカソード板から数ナノメートルのときに、図４に示すように、カソード板から得られた電子を捕獲して水素に転換する。
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
バイヤー溶液からギブサイトを沈殿させるための方法であって、該バイヤー溶液を冷却して過飽和させ、及び該過飽和した溶液を該過飽和した溶液が連続的に通過する第一の多数の凝集タンク、及び該溶液が連続的に通過する多数の沈殿タンクに加え、該第一の沈殿タンクに最後の凝集タンクからの流出物を与え、このときギブサイトの微細な種粒子を該第一の凝集タンクにおける溶液に加え、及び同時に該沈殿タンクの一つからの溶液の少なくとも一部を強度の超音波照射に付してキャビテーションを引き起こし、該超音波照射は不十分な数の微粒子を示す測定値に応じて適用されることを含む、方法。
【請求項２】
ギブサイトの粗い種粒子が、該第一の沈殿タンクにおける溶液に加えられる、請求項１記載の方法。
【請求項３】
該溶液の流れが、該流れをダクトに流し、及び該ダクトの内容物を超音波照射に連続的に付すことによって超音波照射に付される、請求項１又は２記載の方法。
【請求項４】
該超音波照射が、再循環ダクト内で行われる、請求項３記載の方法。
【請求項５】
該測定値に応じて、該超音波照射が粒子サイズ分布に大きな変化をもたらすのに十分な一定時間行われ、続いて止められる、請求項１〜４のいずれか１項に記載の方法。
【請求項６】
該測定値が、該溶液における粒子サイズである、請求項１〜５のいずれか１項に記載の方法。
【請求項７】
該測定値が、該溶液におけるアルミン酸ナトリウムの濃度である、請求項１〜６のいずれか１項に記載の方法。
【請求項８】
請求項１〜７のいずれか１項に記載の方法を行うための、装置。
【請求項９】
該超音波が、ダクト壁に取り付けられた多数の超音波変換器を用いて、円周及び縦方向の両方に広がる並んだ個々の変換器で適用され、各変換器は、該変換器が3W/cm2以下を照射できるように信号発生器に接続され、該変換器が共に十分に近く、且つ変換機の数が容器内の電力浪費が25〜150W/Lである程度に十分多い、請求項８記載の装置。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
最大電荷が印加されるようにインク滴に電荷を印加する最適時間をインクジェット印刷システムが判断する時に比較が行われる、該インクジェット印刷システムにおいてインク滴上の電荷が比較される閾値を調節するためのシステム（７００）であって、
インク滴の流れを生成するためのノズル（７１０）と、
前記インク滴上の電荷を検出してそれを表す電荷信号を提供するためのセンサ（７２０）と、
前記電荷信号を分析して、各ピークがそれぞれの帯電インク滴に対応する信号内のピークを判断するためのピーク検出器（７４０）と、
前記電荷信号に存在する前記ピークに基づいて調節された閾値を記憶するための閾値記憶装置（７５０）と、
を含み、
前記調節された閾値は、前記電荷信号内のピークの所定数よりも少ないものが現在の閾値を超える場合は、該現在の閾値よりも下であり、該調節された閾値は、該電荷信号内のピークの所定数よりも多いものが該現在の閾値を超える場合は、該現在の閾値よりも上である、
ことを特徴とするシステム。
【請求項２】
前記閾値記憶装置（７５０）は、デジタル電位差計（７５０）を含むことを特徴とする請求項１に記載のシステム。
【請求項３】
前記電荷信号を前記調節された閾値又は所定の基準値と比較するための比較器（７７０）を更に含むことを特徴とする請求項１に記載のシステム。
【請求項４】
前記調節された閾値と前記所定の基準値との間で選択するためのセレクタ（７６０）を更に含むことを特徴とする請求項３に記載のシステム。
【請求項５】
前記電荷信号を前記ピーク検出器（７４０）によるその分析の前にフィルタ処理するためのフィルタ電子機器（７３０）を更に含むことを特徴とする請求項１に記載のシステム。
【請求項６】
前記ノズル（７１０）によって生成された前記インク滴上の電荷を検出するための第２のセンサを更に含み、該第２のセンサは、前記インクジェット印刷システムのインク捕捉器（３０）に位置しており、該第２のセンサは、第２の前記電荷信号を提供することを特徴とする請求項１に記載のシステム。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
Ｍｇ、Ｔｉ、ハロゲン、および式（Ｉ）：
【化１】
2008502747.tif 000001
［式中、基Ｒ2〜Ｒ6は同一または異なって、水素または任意にヘテロ原子を含有するＣ1〜Ｃ20炭化水素基であり、Ｒ1は任意にヘテロ原子を含有するＣ1〜Ｃ20炭化水素基であり、かつ２またはそれ以上の基Ｒ2〜Ｒ6は結合して環を形成することができる］
のγ-ブチロラクトン誘導体から選択される電子供与体を含むオレフィンの重合用固体触媒成分。
【請求項２】
式（Ｉ）のγ-ブチロラクトン誘導体におけるＲ5〜Ｒ6が、水素またはＣ3〜Ｃ10炭化水素基から選択される請求項１による触媒成分。
【請求項３】
基Ｒ4が、１級または２級のアルキル基の中から選択される請求項２に記載の触媒成分。
【請求項４】
−請求項１〜３のいずれか１つによる固体触媒成分、
−アルキルアルミニウム化合物、および
−１つまたはそれ以上の電子供与化合物（外部供与体）
の間での反応生成物を含むオレフィンの重合用触媒。
【請求項５】
請求項４の触媒の存在下で行われるオレフィンの（共）重合方法。